(57)【要約】【課題】筒状部材の外周部にプロテクターなどが存在しないような狭所、例えば、多数の配管類が存在するような状況下での狭所等においても使用可能で、しかも、作業性がよく、筒状部材の連れ回りを確実に防止することのできる連れ回り防止工具の提供。【解決手段】管に螺着された筒状部材と、筒状部材に対して同心状に螺装される螺着部材を対象とし、筒状部材に対する螺着部材の装脱時に筒状部材の連れ回りを防止する連れ回り防止工具５で、筒状部材の外周に外嵌する外嵌部材６が、その内周面に筒状部材の外周面から径方向外方に突設された突起に嵌合する嵌合部１２を備え、かつ、筒状部材の径方向に開閉自在な一対の外嵌部材片７、８により構成されるとともに、筒状部材への外嵌状態で一対の外嵌部材片７、８を連結して固定する固定手段１１を備え、外嵌部材６に連設の握り部材１３が、筒状部材の軸心方向に延出されている。【選択図】図１
2015089603.tif 000002
【特許請求の範囲】
【請求項１】
管に螺着された筒状部材と、当該筒状部材に対して同心状に螺装される螺着部材を対象とし、前記筒状部材に対する前記螺着部材の装脱時に前記筒状部材の連れ回りを防止する連れ回り防止工具であって、
前記筒状部材の外周に外嵌する外嵌部材が、その内周面に前記筒状部材の外周面から径方向外方に突設された突起に嵌合する嵌合部を備え、かつ、前記筒状部材の径方向に開閉自在な一対の外嵌部材片により構成されるとともに、前記筒状部材への外嵌状態で前記一対の外嵌部材片を連結して固定する固定手段を備え、前記外嵌部材に連設の握り部材が、前記筒状部材の軸心方向に延出されている連れ回り防止工具。
【請求項２】
前記一対の外嵌部材片が、前記筒状部材の軸心に沿う枢支軸により開閉自在に枢着され、前記筒状部材の軸心方向視において、当該筒状部材の軸心を中心として径方向における前記枢支軸の反対側に前記固定手段が設けられている請求項１に記載の連れ回り防止工具。
【請求項３】
前記固定手段が、前記一対の外嵌部材片にそれぞれ設けられた貫通孔と、それら両貫通孔にわたって挿脱自在なピン部材からなる請求項２に記載の連れ回り防止工具。
【請求項４】
前記ピン部材が、軸方向においてピン外径が縮小するテーパー状ピン部材である請求項３に記載の連れ回り防止工具。
【請求項５】
前記突起が前記筒状部材の外周面に複数個設けられ、当該複数個の突起に嵌合可能な前記嵌合部が、前記外嵌部材の内周面に前記突起の個数以上設けられている請求項１〜４のいずれか１項に記載の連れ回り防止工具。
【請求項６】
前記握り部材が、前記筒状部材の軸心方向に延出するシャフト部材と、当該シャフト部材の遊端部側からシャフト部材に直交して延出する握り部からなる請求項１〜５のいずれか１項に記載の連れ回り防止工具。
【請求項７】
前記外嵌部材と握り部材とが、互いに分離および連結自在に構成されている請求項１〜６のいずれか１項に記載の連れ回り防止工具。
【発明の詳細な説明】
【技術分野】
【０００１】
本発明は、管に螺着された筒状部材と、当該筒状部材に対して同心状に螺装される螺着部材を対象とし、前記筒状部材に対する前記螺着部材の装脱時に前記筒状部材の連れ回りを防止する連れ回り防止工具に関する。
【背景技術】
【０００２】
このような連れ回り防止工具としては、例えば、地中に設けられた狭いプロテクター内に位置するガス管の抽水管において、当該抽水管に螺着されたソケット（筒状部材の一例）およびソケットに対して同心状に螺装されるプラグ（螺着部材の一例）を対象とし、ソケットの外径よりも大きな内径を有してソケットを囲繞可能な筒枠と、当該筒枠に対して均等角度離して挿通された３組のネジ機構を備え、当該ネジ機構が、前記筒枠に相対移動自在に挿通されてその先端部がソケットの外周面に接当する基端ボルトと、当該基端ボルトと逆ネジでその先端部がプロテクターの内周面に接当する先端ボルトと、前記基端ボルトと先端ボルトとにわたって螺合されたターンバックルから構成されたものが知られている（例えば、特許文献１参照）。
【先行技術文献】
【特許文献】
【０００３】
【特許文献１】特開２００３−２７８９８５号公報
【発明の概要】
【発明が解決しようとする課題】
【０００４】
しかし、上記特許文献に記載の連れ回り防止工具では、使用に際して、３組のネジ機構を構成する各基端ボルトの先端部をソケット外周面へ接当させ、各先端ボルトの先端部をプロテクター内周面へ接当させる作業が必要で、使用後においては、逆の作業により取り外す必要があり、使用に際して作業性が悪いという問題があった。
また、各基端ボルトのソケット外周面への接当による摩擦力と各先端ボルトのプロテクター内周面への接当による摩擦力のみでソケットの連れ回りを防止するものであるから、例えば、ソケットからプラグを取り外す場合、ソケットに対してプラグが錆び付いていると、摩擦力により十分に対抗することができず、ソケットが一緒に回転してしまう可能性も高い。
それ以上に、ソケットの外周部に各先端ボルトの先端部を接当させるためのプロテクター内周面またはそれに相当する他物の存在が不可欠であり、例えば、ソケットの外周部に多数の配管類が存在するような状況下での狭所では使用不可能となり、この点に改良の余地があった。
【０００５】
本発明は、このような従来の問題点に着目したもので、その目的は、筒状部材の外周部にプロテクターなどが存在しないような狭所においても使用可能で、しかも、作業性がよく、筒状部材の連れ回りを確実に防止することのできる連れ回り防止工具を提供することにある。
【課題を解決するための手段】
【０００６】
上記目的を達成するための本発明は、管に螺着された筒状部材と、当該筒状部材に対して同心状に螺装される螺着部材を対象とし、前記筒状部材に対する前記螺着部材の装脱時に前記筒状部材の連れ回りを防止する連れ回り防止工具であって、
その特徴構成は、前記筒状部材の外周に外嵌する外嵌部材が、その内周面に前記筒状部材の外周面から径方向外方に突設された突起に嵌合する嵌合部を備え、かつ、前記筒状部材の径方向に開閉自在な一対の外嵌部材片により構成されるとともに、前記筒状部材への外嵌状態で前記一対の外嵌部材片を連結して固定する固定手段を備え、前記外嵌部材に連設の握り部材が、前記筒状部材の軸心方向に延出されている点にある。
【０００７】
上記特徴構成によれば、管に螺着された筒状部材の外周に外嵌する外嵌部材が、その内周面に筒状部材の外周面から径方向外方に突設された突起に嵌合する嵌合部を備え、かつ、筒状部材の径方向に開閉自在な一対の外嵌部材片により構成されて、筒状部材への外嵌状態で一対の外嵌部材片を連結して固定する固定手段を備えているので、一対の外嵌部材片を開いた状態で、その内周面の嵌合部が筒状部材の外周面から突設された突起に嵌合するようにセットし、固定手段によって一対の外嵌部材片を連結固定するだけの比較的簡単な作業により、たとえ狭所内であっても、筒状部材に対して一対の外嵌部材片からなる外嵌部材を外嵌固定することができる。
特に、筒状部材に外嵌する外嵌部材が、筒状部材の径方向に開閉自在な一対の外嵌部材片により構成されるので、外嵌部材を外嵌するべき筒状部材よりも螺着部材側に、当該筒状部材よりも大きな径を有する部材、例えば、螺着部材がバルブの開閉つまみ等のような筒状部材よりも大きな径を有する部材の場合や、筒状部材に回転操作具が設けられていて、当該回転操作具が径方向の外方へ突出しているような場合であっても、外嵌部材を構成する一対の外嵌部材片を開状態にして筒状部材に外嵌することにより、筒状部材の所望箇所に外嵌部材を確実に外嵌固定することができる。
そして、その外嵌部材に連設の握り部材が、筒状部材の軸心方向に延出されているので、当該握り部材が螺着部材側へ延出するように配置し、例えば、一方の手（左手）で握り部材の遊端部側を握って筒状部材の回転を阻止した状態で、他方の手（右手）で回転操作具を操作して螺着部材を回転操作することにより、筒状部材の連れ回りを確実に防止して螺着部材を回転操作することができる。
その結果、本発明の連れ回り防止工具によれば、筒状部材の外周部にプロテクターなどが存在しないような狭所においても使用可能で、しかも、作業性がよく、筒状部材の連れ回りを確実に防止することができる。
【０００８】
本発明による連れ回り防止工具の更なる特徴構成は、前記一対の外嵌部材片が、前記筒状部材の軸心に沿う枢支軸により開閉自在に枢着され、前記筒状部材の軸心方向視において、当該筒状部材の軸心を中心として径方向における前記枢支軸の反対側に前記固定手段が設けられている点にある。
【０００９】
上記特徴構成によれば、一対の外嵌部材片が、筒状部材の軸心に沿う枢支軸により開閉自在に枢着されているので、一対の外嵌部材片からなる外嵌部材の筒状部材への外嵌固定作業や取り外し作業がより一層簡単となり、しかも、前記固定手段が、筒状部材の軸心方向視において、当該筒状部材の軸心を中心として径方向における枢支軸の反対側に設けられているので、外嵌部材の筒状部材への外嵌固定は強固なものとなり、筒状部材の連れ回りをより確実に防止することができる。
【００１０】
本発明による連れ回り防止工具の更なる特徴構成は、前記固定手段が、前記一対の外嵌部材片にそれぞれ設けられた貫通孔と、それら両貫通孔にわたって挿脱自在なピン部材からなる点にある。
【００１１】
上記特徴構成によれば、固定手段が、一対の外嵌部材片にそれぞれ設けられた貫通孔と、それら両貫通孔にわたって挿脱自在なピン部材からなるので、両貫通孔へのピン部材の挿脱による簡単な作業で、筒状部材に対する外嵌部材の外嵌固定作業や取り外し作業を行うことができる。
【００１２】
本発明による連れ回り防止工具の更なる特徴構成は、前記ピン部材が、軸方向においてピン外径が縮小するテーパー状ピン部材である点にある。
【００１３】
上記特徴構成によれば、両貫通孔に挿脱するピン部材が、軸方向においてピン外径が縮小するテーパー状ピン部材であるから、両貫通孔にわたってテーパー状ピン部材を挿入する際、先鋭な方から挿入することで両貫通孔への挿入を容易に行うことができ、筒状部材の外径に寸法誤差等があり、外嵌部材の内周面にぴったりと収まらない場合でも、テーパー部分が貫通孔内面と接触することにより確実に固定できる。また、筒状部材の外周面に泥や錆などが付着していても、テーパー状ピン部材を強力に押し込むことにより、泥や錆などを押し潰して両貫通孔の軸心を一致させることができ、外嵌部材の筒状部材への外嵌固定を確実に行うことができる。
【００１４】
本発明による連れ回り防止工具の更なる特徴構成は、前記突起が前記筒状部材の外周面に複数個設けられ、当該複数個の突起に嵌合可能な前記嵌合部が、前記外嵌部材の内周面に前記突起の個数以上設けられている点にある。
【００１５】
上記特徴構成によれば、筒状部材の外周面から突設の突起が複数個設けられ、当該複数個の突起に嵌合可能な嵌合部が、外嵌部材の内周面に前記突起の個数以上設けられているので、筒状部材に対する外嵌部材の外嵌固定位置、言い換えると、握り部材の位置を選択することができ、たとえ筒状部材の外周部に障害物があっても、その障害物を避けて握り部材を所望の箇所に位置させることができる。
【００１６】
本発明による連れ回り防止工具の更なる特徴構成は、前記握り部材が、前記筒状部材の軸心方向に延出するシャフト部材と、当該シャフト部材の遊端部側からシャフト部材に直交して延出する握り部からなる点にある。
【００１７】
上記特徴構成によれば、握り部材が、筒状部材の軸心方向に延出するシャフト部材と、当該シャフト部材の遊端部側からシャフト部材に直交して延出する握り部からなるので、シャフト部材に直交する握り部を握ることで力が入れやすくなり、強い力で筒状部材の連れ回りを確実に防止することができる。
【００１８】
本発明による連れ回り防止工具の更なる特徴構成は、前記外嵌部材と握り部材とが、互いに分離および連結自在に構成されている点にある。
【００１９】
上記特徴構成によれば、外嵌部材と握り部材とを互いに分離することで、連れ回り防止工具の持ち運びや保管が容易となる。
【図面の簡単な説明】
【００２０】
【図１】連れ回り防止工具の分解斜視図
【図２】連れ回り防止工具の要部の分解斜視図
【図３】抽水管およびプロテクターの正面図
【図４】連れ回り防止工具の使用方法を示す正面図
【図５】連れ回り防止工具の使用方法を示す平面図
【図６】連れ回り防止工具の使用方法を示す平面図
【発明を実施するための形態】
【００２１】
本発明による連れ回り防止工具の実施形態を図面に基づいて説明する。
本発明に係る連れ回り防止工具は、例えば、図３に示すように、地中に埋設されたガス管（図示せず）内に溜まった水を抽水するための抽水管１において、当該抽水管１に螺着された筒状部材としてのソケット２および当該ソケット２に対して同心状に螺装される螺着部材としてのプラグ３を対象とし、ソケット２に対するプラグ３の装脱時、つまり、プラグ３の上端に設けられた回転操作部３ａを回転操作してプラグ３を装脱させる際にソケット２の連れ回りを防止するために使用する。
すなわち、抽水管１の上端部に螺着されるソケット２およびプラグ３は、地中に設けられた狭いプロテクター４内に位置するため、プロテクター４の蓋４ａを開けて上方からソケット２に対してプラグ３を螺着したり取り外したりする際、通常のレンチ類でソケット２の連れ回りを防止することは不可能である。
【００２２】
本発明の連れ回り防止工具５は、通常のレンチ類の使用が不可能または困難な狭所であっても容易に使用することができ、図１および図２に示すように、ソケット２の外周に外嵌する外嵌部材６を備え、当該外嵌部材６は、例えば、硬質ジュラルミンからなる一対の外嵌部材片７、８により構成される。
各外嵌部材片７、８は、その基端側に段部７ｂ、８ｂを備え、ソケット２の軸心Ｌ（図３〜図６参照）に沿う枢支軸９が両段部７ｂ、８ｂにわたって挿通され、ソケット２の径方向に開閉自在に枢着されている。各外嵌部材片７、８の先端側にも、それぞれ段部７ｃ、８ｃが設けられ、各段部７ｃ、８ｃ、つまり、ソケット２への外嵌状態において、ソケット２の軸心Ｌ方向視において、当該軸心Ｌを中心として径方向における枢支軸９の反対側には、貫通孔７ａ、８ａがそれぞれ穿設され、枢支軸９の中心には、正方形の連結孔９ａが同心状に設けられている。
【００２３】
各外嵌部材片７、８に穿設の貫通孔７ａ、８ａは、ピン部材１０と協働して、当該一対の外嵌部材片７、８をソケット２に外嵌した状態で一対の外嵌部材片７、８を連結して固定するための固定手段１１を構成する。つまり、図５および図６に示すように、枢支軸９により枢着された一対の外嵌部材片７、８を開状態にしてソケット２に外嵌し、両貫通孔７ａ、８ａにわたってピン部材１０を挿入することにより、一対の外嵌部材片７、８をソケット２に外嵌して固定し得るように構成され、当該ピン部材１０は、両貫通孔７ａ、８ａへの挿入を容易にするため、その軸方向においてピン外径が縮小するテーパー状ピン部材１０に形成されている。
そして、ソケット２の外周面には、その軸心Ｌを中心として１８０°の位置に軸心Ｌに沿って延びる突起としての突条２ａが２個突設され、一対の外嵌部材片７、８の内周面、言い換えると、外嵌部材６の内周面には、前記２個の突条２ａに嵌合する一対の嵌合部としての凹入部１２が４対（合計８個）設けられている。
【００２４】
連れ回り防止工具５は、更に、金属製の棒材やパイプ材からなる握り部材１３を備え、当該握り部材１３は、シャフト部材１４と握り部１５により構成される。
シャフト部材１４の一端部には、図２に拡大して示すように、外嵌部材６の枢支軸９に設けられた連結孔９ａに嵌入して外嵌部材６に対して連結自在な嵌入部１６が設けられている。当該嵌入部１６は、シャフト部材１４の軸心方向視において、正方形の連結孔９ａに嵌入する断面がほぼ正方形の嵌入軸部１６ａと嵌入軸部１６ａの一面から突出して連結孔９ａの内面に接触する凸部１６ｂにより構成される。
シャフト部材１４の他端部には、図１に示すように、握り部１５を連結するための断面正方形の嵌入穴１７ａを有する連結部１７が設けられていて、当該シャフト部材１４に対して、前記テーパー状ピン部材１０がチェーンなどの紐状体１０ａを介して取り付けられている。
【００２５】
握り部１５の中間には、図１に示すように、シャフト部材１４の連結部１７に設けられた嵌入穴１７ａに嵌入してシャフト部材１４に連結自在な断面がほぼ正方形の嵌入部１８が設けられ、当該嵌入部１８を嵌入穴１７ａに嵌入することにより、握り部１５が、シャフト部材１４の遊端部からシャフト部材１４に直交して横方向側方へ延出する状態で、シャフト部材１４に連結される。ただし、握り部１５は、必ずしもシャフト部材１４の遊端部から横方向側方へ延出する必要はなく、シャフト部材１４の遊端部の近傍から延出していてもよく、要するに、シャフト部材１４の遊端部側から延出していればよい。
握り部１５の中間には、更に、前記嵌入部１８に対向する状態で、継ぎ足し用の別のシャフト部材（図示せず）を連結するための断面正方向の嵌入穴１９ａを有する継ぎ足し用連結部１９が設けられ、必要に応じて継ぎ足し用のシャフト部材を連結し得るように構成されている。
【００２６】
つぎに、この連れ回り防止工具５の使用方法について説明する。
まず、外嵌部材６に握り部材１３を連結する。つまり、外嵌部材６の枢支軸９の連結孔９ａにシャフト部材１４の嵌入部１６を嵌入し、外嵌部材６にシャフト部材１４を連結するとともに、シャフト部材１４の連結部１７の嵌入穴１７ａに握り部１５の嵌入部１８を嵌入し、シャフト部材１４に握り部１５を連結する。
そして、例えば、図３に示すように、ガス管の抽水管１に螺着されたソケット２およびプラグ３を対象とし、図外の抽水ポンプを接続するためにプラグ３を取り外す場合であれば、図４〜図６に示すように、外嵌部材６を構成する一対の外嵌部材片７、８を開いてソケット２に外嵌し、固定手段１１により固定する。ただし、先に外嵌部材片７、８をソケット２に外嵌固定し、その後、外嵌部材６に握り部材１３を連結してもよい。
【００２７】
外嵌部材片７、８のソケット２への外嵌固定は、両外嵌部材片７、８の内周面に設けられた４対の凹入部１２のいずれか一対がソケット２の外周面に設けられた２個の突条２ａに嵌合するようにセットし、両外嵌部材片７、８に穿設の貫通孔７ａ、８ａにわたってテーパー状ピン部材１０を挿入して固定する。
外嵌部材片７、８をソケット２に外嵌固定すると、図４に示すように、握り部材１３のシャフト部材１４がソケット２の軸心Ｌに沿って上方に延出し、握り部材１３の握り部１５を握れば、ソケット２の連れ回りを防止することができるので、例えば、先端にプラグ３の回転操作部３ａに外嵌する外嵌部２０ａを有する回転操作具２０を使用し、左手で握り部１５を握り、右手で回転操作具２０を回転操作することにより、たとえ狭いプロテクター４内に位置するプラグ３であっても、ソケット２の連れ回りを確実に防止してプラグ３を取り外すことができる。また、プラグ３を螺着するときも同様で、この連れ回り防止工具５を使用することにより、ソケット２の連れ回りを確実に防止してプラグ３を螺着することができる。
【００２８】
〔別実施形態〕
（１）上記実施形態では、外嵌部材６を一対の外嵌部材片７、８により構成し、当該一対の外嵌部材片７、８を枢支軸９により枢着して開閉自在に構成した例を示したが、一対の外嵌部材片７、８を枢着することなく互いに分離自在（開閉自在）に構成し、当該一対の外嵌部材片７、８の基端部と先端部に固定手段を設けて、ソケット２に外嵌固定自在に構成して実施することもできる。
また、上記実施形態のように、一対の外嵌部材片７、８を開閉自在に枢着する場合、その固定手段１１は貫通孔７ａ、８ａとピン部材１０に限るものではなく、例えば、一対の外嵌部材片７、８を挟持して固定するクランプ装置などを使用し、それを固定手段１１とすることもできる。
【００２９】
（２）上記実施形態では、外周面に２個の突条２ａを有するソケット２を対象とし、その２個の突条２ａに嵌合する一対の凹入部１２を外嵌部材６の内周面に４対設けた例を示した。つまり、ソケット２の外周面に２個を一対とする突条２ａを設けた例を示したが、３個を一対とする突条２ａを設けることも可能であり、また、外嵌部材６の内周面に設ける凹入部１２に関しても、必ずしも４対に限るものではなく、ソケット２側の突条２ａに嵌合する一対あるいは２対以上の凹入部１２を設けて実施することができる。
更に、対象とするソケット２が外周面に突条２ａを１個しか有していない場合には、凹入部１２をひとつだけ設けることも、また、複数個設けることも可能である。
要するに、ソケット２の外周面に設ける突条２ａの数や外嵌部材６の内周面に設ける凹入部１２の数は適宜変更可能であるが、突条２ａを複数個設け、その複数個の突条２ａに嵌合可能な凹入部１２を突起２ａの個数以上設けることが、ソケット２に対する外嵌部材６の外嵌位置を選択できて便利である。
【００３０】
（３）上記実施形態では、握り部材１３をシャフト部材１４と握り部１５により構成した例を示したが、握り部１５は必ずしも必要ではなく、シャフト部材１４のみにより握り部材１３を構成することもでき、また、その握り部材１３と外嵌部材６を分離および連結自在に構成せず、握り部材１３と外嵌部材６を一体化した状態で実施することもできる。
また、本発明の連れ回り防止具５は、ガス管の抽水管１に螺着されたソケット（筒状部材）２およびプラグ（螺着部材）３を使用対象として限定するものではなく、狭い空間内に位置する筒状部材２および当該筒状部材２に同心状に螺装される螺着部材３を備えたあらゆるものを対象として使用することができる。
【符号の説明】
【００３１】
１          管
２          筒状部材
２ａ        突起
３          螺着部材
５          連れ回り防止工具
６          外嵌部材
７、８      外嵌部材片
７ａ、８ａ  貫通孔
９          枢支軸
１０        テーパー状ピン部材
１１        固定手段
１２        嵌合部
１３        握り部材
１４        シャフト部材
１５        握り部
Ｌ          筒状部材の軸心
【図１】
2015089603.tif 000003
【図２】
2015089603.tif 000004
【図３】
2015089603.tif 000005
【図４】
2015089603.tif 000006
【図５】
2015089603.tif 000007
【図６】
2015089603.tif 000008